(57)【要約】【課題】  各抵抗棒は各別に上下移動調節したり、取り外したりするために、この操作が面倒であり、長時間を要しやすい。しかも、このような抵抗棒のソケット穴に対する嵌合挿通による上下移動の形態では、泥土のかみ込み等によって抵抗棒の上下移動が速やかに行われ難いことが多い。【解決手段】  セットピン１の係合できる切欠部２を形成した抵抗棒４を本機側のソケット６に上下摺動可能に挿通し、前記ソケット６のピン穴７に回動可能の前記セットピン１は、前記抵抗棒４の後側縁部８の切欠部２に嵌合する切欠部１０と、前記切欠部２に係合する切欠背部１１を形成し、このセットピン１をこのピン軸芯周りに回動することによって、切欠部１０を抵抗棒４の後側縁部８に嵌合することによってＡ、この抵抗棒４を上下移動可能とし、切欠背部１１を前記各切欠部２に係合することによってＢ、これら係合の抵抗棒４の上下移動を固定する。【選択図】  図２
2014230500.tif 000002
【特許請求の範囲】
【請求項１】
セットピン（１）の係合できる切欠部（２）を形成した抵抗棒（４）を本機側のソケット（６）に上下摺動可能に挿通し、前記ソケット（６）のピン穴（７）に回動可能の前記セットピン（１）は、前記抵抗棒（４）の後側縁部（８）に嵌合する切欠部（１０）と、前記切欠部（２）に係合する切欠背部（１１）を形成し、このセットピン（１）をこのピン軸新周りに回動することによって切欠部（１０）を抵抗棒（４）の後側縁部（８）に嵌合することによって（Ａ）、この抵抗棒（４）を上下移動可能とし、切欠背部（１１）を前記各切欠部（２）に係合することによって（Ｂ）、これら係合の抵抗棒（４）の上下移動を固定することを特徴とする耕耘機の抵抗棒取付装置。
【請求項２】
セットピン（１）の係合できる切欠部（２）（３）を形成した残耕抵抗棒（４）と芯土抵抗棒（５）を前後に対向重合させた形態にして本機側のソケット（６）に上下摺動可能に挿通し、前記ソケット（６）のピン穴（７）に回動可能の前記セットピン（１）は、前記残耕抵抗棒（４）と芯土抵抗棒（５）との前、後側縁部（８）（９）の切欠部（２）（３）に嵌合する切欠部（１０）と、前記切欠部（２）（３）に係合する切欠背部１１を形成し、このセットピン（１）をこのピン軸新周りに回動することによって切欠部（１０）を残耕抵抗棒（４）の後側縁部（８）に嵌合することによって（Ａ）、この残耕抵抗棒（４）を上下移動可能とし、切欠部（１０）を芯土抵抗棒（５）の前側縁部（９）に嵌合することによって（Ｂ）、この芯土抵抗棒（５）を上下移動可能とし、切欠背部（１１）を前記各切欠部（２）（３）に係合することによって（Ｃ）、これら係合の残耕抵抗棒（４）、及び芯土抵抗棒（５）の上下移動を固定することを特徴とする請求項１に記載の耕耘機の抵抗棒取付装置。
【請求項３】
前記セットピン（１）には、これに形成される切欠部（１０）、又は切欠背部（１１）の側に向けて突出のハンドル（１２）を形成したことを特徴とする請求項１、又は請求項２に記載の耕耘機の抵抗棒取付装置。
【請求項４】
前記残耕抵抗棒（４）の後側縁部（８）に形成の切欠部（２）、及び芯土抵抗棒（５）の前側縁部（９）に形成の切欠部（３）を複数段に形成して、これら前後に対向する同対向位置の切欠部（２）（３）間にセットピン（１）の切欠背部（１１）を係合させて、残耕抵抗棒（４）と芯土抵抗棒（５）との上下移動を調節、及び固定することを特徴とする請求項１、請求項２、又は請求項３に記載の耕耘機の抵抗棒取付装置。
【発明の詳細な説明】
【技術分野】
【０００１】
この発明は、カルチベータの如きハンドル操作の歩行形態の耕耘機において、前後複数の抵抗棒を、簡単な構成のヒッチブラケットを介して、車体後部のヒッチソケットに装着することによって、各作業及び操作を行い易くする。
【背景技術】
【０００２】
機体後部の耕耘ロータカバーのヒッチソケットに前後一対の抵抗棒を上下調節可能に構成する技術（例えば、特許文献１参照）や、ヒッチソケットに抵抗棒等の作業部を水平方向の振替軸の周りに回動させて、作業姿勢に上下に振替回動して作業姿勢にしたり、畝立姿勢に切替える技術（例えば、特許文献２参照）が知られている。
【先行技術文献】
【特許文献】
【０００３】
【特許文献１】特開２０００ー２５３７０３号公報
【特許文献２】特開２０１２ー９０５３６号公報
【発明の概要】
【発明が解決しようとする課題】
【０００４】
前記のように、抵抗棒としては、耕耘伝動ケースの直後側部の残耕土城部を鋤砕くことのできる通常形態の残耕、乃至深耕抵抗棒と、耕耘ロータによる作業深さを芯土層部に受け止めて、耕耘深さを一定状態に維持できる芯土抵抗棒とがあることは、既に知られているが、これらの各抵抗棒は各別に上下移動調節したり、取り外したりするために、この操作が面倒であり、長時間を要しやすいものである。しかも、このような抵抗棒のソケット穴に対する嵌合挿通による上下移動の形態では、泥土のかみ込み等によって抵抗棒の上下移動が速やかに行われ難いことが多い。そこで、前記各抵抗棒を、深耕抵抗棒と、芯土抵抗棒として、次のような手段を講じたものである。
【課題を解決するための手段】
【０００５】
請求項１に記載の発明は、セットピン１の係合できる切欠部２を形成した抵抗棒４を本機側のソケット６に上下摺動可能に挿通し、前記ソケット６のピン穴７に回動可能の前記セットピン１は、前記抵抗棒４の側縁部８の切欠部２に嵌合する切欠部１０と、前記切欠部２に係合する切欠背部１１を形成し、このセットピン１をこのピン軸芯周りに回動することによって、切欠部１０を抵抗棒４の側縁部８に嵌合することによってＡ、この抵抗棒４を上下移動可能とし、切欠背部１１を前記各切欠部２に係合することによってＢ、これら係合の抵抗棒４の上下移動を固定することを特徴とする耕耘機の抵抗棒取付装置の構成とする。
【０００６】
前記ソケット６は、前後に長い方形状のソケット穴１５を形成した角チューブ材からなり、このソケット穴１５に抵抗棒４を挿通して、この抵抗棒４の（後）側縁部８の切欠部２に、ソケット６のピン穴７から嵌合させるセットピン１を挿通することによって、このセットピン１で切欠部２を係合して、このセットピン１の係合された抵抗棒４の上下動を不能の状態に固定することができる。
【０００７】
セットピン１をこのピン軸芯の周りに回動操作して、切欠部１０を前側の抵抗棒４の側縁部８に嵌合させて、この切欠背部１１を後側へ対向させるとＡ、この抵抗棒４を昇降移動させることができる。
【０００８】
又、このセットピン１の位置Ａからこのセットピン１を回動（略１８０度）操作して、前記切欠背部１１を、この前側の抵抗棒３の切欠部２にも係合するＢ、ことによって、この前側の抵抗棒３の調節位置を昇降不能に固定することができる。
【０００９】
このように、セットピン１の切欠部１０を対向させてＡ、Ｂ、嵌合される側縁部８の抵抗棒４が、上下方向へ移動可能であり、これを係止固定するときは、セットピン１の切欠背部１１を、抵抗棒４の切欠部２に係合させるＢことによって、各抵抗棒４の昇降移動を固定状態にすることができる。又、抵抗棒４をソケット６から抜き外すこともできる。
【００１０】
請求項２に記載の発明は、セットピン１の係合できる切欠部２、３を形成した残耕抵抗棒４と芯土抵抗棒５を前後に対向重合させた形態にして本機側のソケット６に上下摺動可能に挿通し、前記ソケット６のピン穴７に回動可能の前記セットピン１は、前記残耕抵抗棒４と芯土抵抗棒５との前後側縁部８、９の切欠部２、３に嵌合する切欠部１０と、前記切欠部２、３に係合する切欠背部１１を形成し、このセットピン１をこのピン軸芯周りに回動することによって切欠部１０を残耕抵抗棒４の後側縁部８に嵌合することによってＡ、この残耕抵抗棒４を上下移動可能とし、切欠部１０を芯土抵抗棒５の前側縁部９に嵌合することによってＢ、この芯土抵抗棒５を上下移動可能とし、切欠背部１１を前記各切欠部２、３に係合することによってＣ、これら係合の残耕抵抗棒４、及び芯土抵抗棒５の上下移動を固定可能に構成する。
【００１１】
前記残耕抵抗棒４下端部には、前下り傾斜の鋤起板１３を形成して、耕耘伝動ケース２８跡の残耕土壌を鋤起して砕土する。又、芯土抵抗棒５の下端部には、前上り傾斜のそり板１４を形成して、耕耘ロータ２４の下降を阻止するように抵抗して、耕深を一定に維持する。
【００１２】
前記ソケット６は、前後に長い方形状のソケット穴１５を形成した角チューブ材からなり、このソケット穴１５に前後一対の抵抗棒４、５を挿通して、両者の前後対向縁部８、９を、接合、乃至接近させた形態として、これら残耕抵抗棒４の後側縁部８の切欠部２と、芯土抵抗棒５の前側縁部９の切欠部３とに、ソケット６のピン穴７から嵌合させるセットピン１を挿通することによって、このセットピン１で切欠部２、又は、切欠部３を係合して、これらセットピン１の係合された残耕抵抗棒４、又は、芯土抵抗棒５の上下動を不能の状態に固定する。
【００１３】
セットピン１をこのピン軸芯の周りに回動操作して、切欠部１０を前側の残耕抵抗棒４の後縁部８に嵌合させて、この切欠背部１１を後側の芯土抵抗棒５の切欠部３に係合するとＡ、この芯土抵抗棒５の昇降位置は固定されて、前側の残耕抵抗棒４のみ昇降移動させることができる。
【００１４】
又、このセットピン１の位置Ａからこのセットピン１を回動（略９０度）操作して、前記芯土抵抗棒５の切欠部３に係合している切欠背部１１を、この前側の切欠部２にも係合するＣことによって、この前側の残耕抵抗棒３の調節位置をも昇降不能に固定することができる。
【００１５】
更に、このセットピン１の位置Ｃから、このセットピン１を回動（略９０度）操作して、切欠部１０を後側の芯土抵抗棒５の前側縁部９に嵌合させて、この切欠背部１１を前側の残耕抵抗棒４の切欠部２に係合させるとＢ、この残耕抵抗棒４の昇降動位置は固定されて、後側の芯土抵抗棒５のみ昇降移動することができる。
【００１６】
このように、セットピン１の切欠部１０を前後に対向させてＡ、Ｂ、嵌合される後側縁部８の残耕抵抗棒４、又は、前側縁部９の芯土抵抗棒５が、上下方向へ移動可能であり、これを係止固定するときは、セットピン１の切欠背部１１を、前後いずれかの切欠部２、３に係合させるＡ、Ｂか、又は両切欠部２、３に同時に係合させるＣことによって、各抵抗棒４、又は５の昇降移動を固定状態にすることができる。
【００１７】
又、いずれか一方、又は両方の抵抗棒４、５をソケット６から抜き外すこともできる。
請求項３に記載の発明は、前記セットピン１には、これに形成される切欠部１０、又は切欠背部１１の側に向けて突出のハンドル１２を形成する。
【００１８】
前記セットピン１には、このピン軸周りの一側に切欠部１０を形成し、この切欠部１０の背部側にあたるピン１自体の構成部を、切欠部を形成しない切欠背部１１として形成するが、このセットピン１の先端部のエルボ状屈曲形態に突出形成するハンドル１２が、前記切欠部１０を形成しない切欠背部１１の側に向けて突出されて、ハンドル１２、及びセットピン１の偏心自重によって、垂下し易く、このセットピ１の切欠背部１１が、前後の抵抗棒４、５の切欠部２、３に係合し易い状態にある。これらの残耕抵抗棒４、又は芯土抵抗棒５を昇降移動するときに、作業者がハンドル１２を前後方向へ水平状に回すことになるが、ロックピン１の切欠背部１１をこれら抵抗棒４、５の切欠背部１１をこれら抵抗棒４、５の切欠部２、３に係合させて、昇降移動を固定するときは、セットピン１にはハンドル１２の自重による垂下回動力が働いているため、この切欠背部１１の切欠部２、３からの係合は外れ難く、機械的振動や、揺動などによっては、自然回動し難く、セットピン１による各抵抗棒４、５の昇降移動位置の固定状態を安定させる。
【００１９】
請求項４に記載の発明は、前記残耕抵抗棒４の後側縁部８に形成の切欠部２、及び芯土抵抗棒５の前側縁部９に形成の切欠部３を複数段に形成して、これら前後に対向する同対向位置の切欠部２、３間にセットピン１の切欠背部１１を係合させて、残耕抵抗棒４と芯土抵抗棒５との上下移動を調節、及び固定する。
【００２０】
前記残耕抵抗棒４と芯土抵抗棒５との前後側縁部８、９には、各複数段の切欠部２、３を形成するものであるから、構成を簡単にすることができ、前後両抵抗棒４、５に形成の切欠部２、３の上下配置間隔、及びこれら切欠部２、３に係合される単一のセットピン１の構成によって、しかも単一ソケット６のピン穴７に対する各抵抗棒４、５の高さ位置を同位置に、又は各別の高さ位置に変更調節することができ、操作を簡単、容易化することができる。
【発明の効果】
【００２１】
請求項１に記載の発明は、前記のように、このソケット６のピン穴７に、切欠部１０と、この背部の切欠背部１１とを形成した単一のセットピン１を用いて、抵抗棒４を挿通させたソケット６のピン穴７から、これら抵抗棒４の切欠部２に挿通して係合させることによって、抵抗棒４が抜け外れないように取付固定することができ、このセットピン１の切欠部１０を嵌合させる後側縁部８の上下動案内によって、この後側縁部８の案内される抵抗棒４を昇降移動することができるため、構成を簡潔にして、操作を迅速、的確に行うことができる。又、単一のセットピン１は、丸棒形態等のセットピン１の一側面に切欠部１０を形成する形態であるから、成形、形状等を簡単、容易とし、ソケット６のピン穴７に挿込んだ形態では、作業時においても自然に抜け外れ難く、脱落粉失し難くすることができ、部品点数を少くして、抵抗棒４、５の昇降調節操作や、ソケット６に対する着脱操作等の操作性を高めることができる。
【００２２】
請求項２に記載の発明は、前記のように、ソケット６には、前後一対の抵抗棒である残耕抵抗棒４と芯土抵抗棒５とを、前後に重合させた状態で挿通して保持させるものであるから、これらの前後側縁部８、９を相互接触重合させて安定した支持姿勢とすることができる。又、このソケット６のピン穴７に、切欠部１０と、この背部の切欠背部１１とを形成した単一のセットピン１を用いて、前側の残耕抵抗棒４と後側の芯土抵抗棒５を、前後に重合させる形態にして挿通させたソケット６のピン穴７から、これら抵抗棒４、５の切欠部２、３に挿通して係合させることによって、各残耕抵抗棒４や、芯土抵抗棒５が抜け外れないように取付固定することができ、このセットピン１の切欠部１０を嵌合させる前後側縁部８、９の上下動案内によって、この前、後側縁部８、９の案内される残耕抵抗棒４、又は芯土抵抗棒５を昇降移動することができるため、構成を簡潔にして、操作を迅速、的確に行うことができる。又、単一のセットピン１は、丸棒形態等のセットピン１の一側面に切欠部１０を形成する形態であるから、成形、形状等を簡単、容易とし、ソケット６のピン穴７に挿込んだ形態では、作業時においても自然に抜け外れ難く、脱落粉失し難くすることができ、部品点数を少くして、抵抗棒４、５の昇降調節操作や、ソケット６に対する着脱操作等の操作性を高めることができる。
【００２３】
請求項３に記載の発明は、前記残耕抵抗棒４の切欠部２や、芯土抵抗棒５の切欠部３に係合して、これらの抵抗棒４、５の昇降移動位置を固定できる切欠部１０と、この背部の切欠背部１１を形成したセットピン１は、このセットピン１自体の形態による偏心重量と、この切欠背部１１へエルボ状等の屈曲形態として、偏心する重量とによって、このハンドル１２部の偏心垂下形態によるセットピン１の回動姿勢位置が、前後の切欠部２、３に係合するように回動付勢されて、これら切欠部２、３に係合された切欠背部１１は、係合が離脱し難い状態となり、セットピン１の係合固定状態を安定維持することができる。従って、作業時にセットピン１が機械的振動や、揺動等によって、自然に大きく回動し難く、抵抗棒４、５の切欠部２、３からのセットピン１の係合が外れて、抵抗棒４、５が自然に昇降したり、脱落する等のおそれをなくすることができる。又、ハンドル１２は、セットピン１の一端部に、切欠背部１１側に向けて突出するように、湾曲、形成すればよく、前記切欠部１０、及び切欠背部１１を形成する構成を簡単にして、部品点数を少くすることができ、ソケット６のピン穴７からも抜け難く、作業中の粉失、脱落等し難く、メンテナンス操作を行い易くすることができる。
【００２４】
請求項４に記載の発明は、前記残耕抵抗棒４と芯土抵抗棒５との前後側縁部８、９には、各複数段の切欠部２、３を形成するものであるから、これら各抵抗帽４、５を各別に昇降調節して、切欠部２、３の位置を選択変更することによって、各抵抗棒４、５の相対的高さ位置を相互に変更することができ、又、各抵抗棒４、５を一体として昇降することができて、圃場の土壌面状態や、土壌の硬軟状態、耕深等の作業状態等に対応じて、最適な抵抗棒４、５の深さを設定して、作業性を高めることができる。又、この構成を簡単にすることができ、前後両抵抗棒４、５に形成の切欠部２、３の上下配置間隔、及びこれら切欠部２、３に係合される単一のセットピン１の構成によって、しかも、単一ソケット６のピン穴７に対する各抵抗棒４、５の高さ位置を同位置に、又は各別の高さ位置に変更調節することができ、操作を簡単、容易化することができる。
【図面の簡単な説明】
【００２５】
【図１】耕耘作業機の一部作用状態を示す側面図（Ａ），（Ｂ）。
【図２】その抵抗棒取付ソケット部の斜視図。
【図３】その尾輪取付状態を示す側面図。
【図４】その前後二本の抵抗棒を装着するソケット部の斜視図。
【図５】そのハンドル取付部の分解斜視図。
【図６】そのデッドマンクラッチレバー部の側面図。
【発明を実施するための形態】
【００２６】
図面（主として、図１〜図３）に基づいて、耕耘や、中耕、除草等の管理作業を行う管理作業機は、機体２０の前部にエンジンベース２１によってエンジン２２を搭載し、この後部のミッションケース２７から下方に亘って走行伝動ケース２３を設け、後側下方に亘って耕耘伝動ケース２８を設けて、この走行伝動ケース２３の下端部に車輪軸２９の左右両端部の車輪３０を軸装し、耕耘伝動ケース２８の下端部にカルチロータ２４のロータ軸２５を軸装して伝動回転する。このセンタドライブ形態に配置構成する耕耘伝動ケース２８の後部には、このカルチロータ２４の回転上側を覆うロータカバー２６取付用のカバーフレーム３１を取り付ける。このカバーフレーム３１後端部に、ヒッチソケット６を設けて、耕耘幅の中央部の後側部位置に抵抗棒４と、深耕棒５を取り付ける。前記ロータカバー２６の後端部には、リヤカバー３６を上下回動可能に取り付けて、下方か回動したときは、このリヤカバー３６の下端縁部で耕耘土壌面を均平することができ、この位置に畝立器等の作業器を装着する場合にリヤカバー３６が不要となるときは、このリヤカバー３６をカバー軸３７の周りに上方へ起立回動して、収納形態とすることができる。前記機体２０の後上部には上下回動可能のハンドルフレーム３２を突出して、ハンドル３３、デフロックレバー３４、スロットル３５、及びデッドマンクラッチレバー３８等を配置している。
【００２７】
ここにおいて、セットピン１の係合できる切欠部２を形成した抵抗棒４を本機側のソケット６に上下摺動可能に挿通し、前記ソケット６のピン穴７に回動可能の前記セットピン１は、前記抵抗棒４の側縁部８の切欠部２に嵌合する切欠部１０と、前記切欠部２に係合する切欠背部１１を形成し、このセットピン１をこのピン軸芯周りに回動することによって、切欠部１０を抵抗棒４の側縁部８に嵌合することによってＡ、この抵抗棒４を上下移動可能とし、切欠背部１１を前記各切欠部２に係合することによってＢ、これら係合の抵抗棒４の上下移動を固定する耕耘機の抵抗棒取付装置の構成とする。
【００２８】
前記ソケット６は、前後に長い方形状のソケット穴１５を形成した角チューブ材からなり、このソケット穴１５に抵抗棒４を挿通して、この抵抗棒４の（後）側縁部８の切欠部２に、ソケット６のピン穴７から嵌合させるセットピン１を挿通することによって、このセットピン１で切欠部２を係合して、このセットピン１の係合された抵抗棒４の上下動を不能の状態に固定する。
【００２９】
セットピン１をこのピン軸芯の周りに回動操作して、切欠部１０を前側の抵抗棒４の側縁部８に嵌合させて、この切欠背部１１を後側へ対向させるとＡ、この抵抗棒４を昇降移動させることができる。
【００３０】
又、このセットピン１の位置Ａからこのセットピン１を回動（略１８０度）操作して、前記切欠背部１１を、この前側の抵抗棒３の切欠部２にも係合するＢことにより、この前側の抵抗棒３の調節位置を昇降不能に固定することができる。
【００３１】
このように、セットピン１の切欠部１０を対向させてＡ、Ｂ、嵌合される側縁部８の抵抗棒４が、上下方向へ移動可能であり、これを係止固定するときは、セットピン１の切欠背部１１を、抵抗棒４の切欠部２に係合させるＢことによって、各抵抗棒４の昇降移動を固定状態にすることができる。又、抵抗棒４をソケット６から抜き外すこともできる。
【００３２】
前記抵抗棒４としては、図例のように鋤起板１３を形成した残耕抵抗棒４形態と、そり板１４を形成した深耕抵抗棒５形態とがあり、抵抗棒４の切欠部２は、側縁部８に形成しているが、ソケット６のピン穴７との関係で後側縁部８、又は前側縁部９に形成することも可能である。
【００３３】
又、セットピン１の係合できる切欠部２、３を形成した残耕抵抗棒４と芯土抵抗棒５を前後に対向重合させた形態にして本機側のソケット６に上下摺動可能に挿通し、前記ソケット６のピン穴７に回動可能の前記セットピン１は、前記残耕抵抗棒４と芯土抵抗棒５との前後側縁部８、９の切欠部２、３に嵌合する切欠部１０と、前記切欠部２、３に係合する切欠背部１１を形成し、このセットピン１をこのピン軸芯周りに回動することによって切欠部１０を残耕抵抗棒４の後側縁部８に嵌合することによってＡ、この残耕抵抗棒４を上下移動可能とし、切欠部１０を芯土抵抗棒５の前側縁部９に嵌合することによってＢ、この芯土抵抗棒５を上下移動可能とし、切欠背部１１を前記各切欠部２、３に係合することによってＣ、これら係合の残耕抵抗棒４、及び芯土抵抗棒５の上下移動を固定可能に構成する。
【００３４】
前記残耕抵抗棒４下端部には、前下り傾斜の鋤起板１３を形成して、耕耘伝動ケース２８跡の残耕土壌を鋤起して砕土する。又、芯土抵抗棒５の下端部には、前上り傾斜のそり板１４を形成して、耕耘（カルチ）ロータ２４の下降を阻止するように抵抗して、耕深を一定に維持する。
【００３５】
前記ソケット６は、前後に長い方形状のソケット穴１５を形成した角チューブ材からなり、このソケット穴１５に前後一対の抵抗棒４、５を挿通して、両者の前後対向縁部８、９を、接合、乃至接近させた形態として、これら残耕抵抗棒４の後側縁部８の切欠部２と、芯土抵抗棒５の前側縁部９の切欠部３とに、ソケット６のピン穴７から嵌合させるセットピン１を挿通することによって、このセットピン１で切欠部２、又は、切欠部３を係合して、これらセットピン１の係合された残耕抵抗棒４、又は、芯土抵抗棒５の上下動を不能の状態に固定する。
【００３６】
セットピン１をこのピン軸芯の周りに回動操作して、切欠部１０を前側の残耕抵抗棒４の後縁部８に嵌合させて、この切欠背部１１を後側の芯土抵抗棒５の切欠部３に係合するとＡ、この芯土抵抗棒５の昇降位置は固定されて、前側の残耕抵抗棒４のみ昇降移動させることができる。
【００３７】
又、このセットピン１の位置Ａからこのセットピン１を回動（略９０度）操作して、前記芯土抵抗棒５の切欠部３に係合している切欠背部１１を、この前側の切欠部２にも係合するＣことによって、この前側の残耕抵抗棒３の調節位置をも昇降不能に固定することができる。
【００３８】
更に、このセットピン１の位置Ｃから、このセットピン１を回動（略９０度）操作して、切欠部１０を後側の芯土抵抗棒５の前側縁部９に嵌合させて、この切欠背部１１を前側の残耕抵抗棒４の切欠部２に係合させるとＢ、この残耕抵抗棒４の昇降位置は固定されて、後側の芯土抵抗棒５のみを昇降移動することができる。
【００３９】
このように、セットピン１の切欠部１０を対向させてＡ、Ｂ、嵌合される後側縁部８の残耕抵抗棒４、又は、前側縁部９の芯土抵抗棒５が、上下方向へ移動可能であり、これを係止固定するときは、セットピン１の切欠背部１１を、前後いずれかの切欠部２、３に係合させるＡ、Ｂか、又は両切欠部２、３に同時に係合させるＣことによって、各抵抗棒４、又は５の昇降移動を固定状態にすることができる。
【００４０】
又、いずれか一方、又は両方の抵抗棒４、５をソケット６から抜き外すこともできる。
又、前記セットピン１には、これに形成される切欠部１０、又は切欠背部１１の側に向けて突出のハンドル１２を形成する。
【００４１】
前記セットピン１には、このピン軸周りの一側に切欠部１０を形成し、この切欠部１０の背部側にあたるピン１自体の構成部を、切欠部を形成しない切欠背部１１として形成するが、このセットピン１の先端部のエルボ状屈曲形態に突出形成するハンドル１２が、前記切欠部１０を形成しない切欠背部１１の側に向けて突出されて、ハンドル１２、及びセットピン１の偏心自重によって、垂下し易く、このセットピ１の切欠背部１１が、前後の抵抗棒４、５の切欠部２、３に係合し易い状態にある。これらの残耕抵抗棒４、又は芯土抵抗棒５を昇降移動するときに、作業者がハンドル１２を前後方向へ水平状に回すことになるが、ロックピン１の切欠背部１１をこれら抵抗棒４、５の切欠背部１１をこれら抵抗棒４、５の切欠部２、３に係合させて、昇降移動を固定するときは、セットピン１にはハンドル１２の自重による垂下回動力が働いているため、この切欠背部１１の切欠部２、３からの係合は外れ難く、機械的振動や、揺動などによっては、自然回動し難く、セットピン１による各抵抗棒４、５の昇降移動位置の固定状態を安定させる。
【００４２】
更には、前記残耕抵抗棒４の後側縁部８に形成の切欠部２、及び芯土抵抗棒５の前側縁部９に形成の切欠部３を複数段に形成して、これら前後に対向する同対向位置の切欠部２、３間にセットピン１の切欠背部１１を係合させて、残耕抵抗棒４と芯土抵抗棒５との上下移動を調節、及び固定する。
【００４３】
前記残耕抵抗棒４と芯土抵抗棒５との前後側縁部８、９には、各複数段の切欠部２、３を形成するものであるから、構成を簡単にすることができ、前後両抵抗棒４、５に形成の切欠部２、３の上下配置間隔、及びこれら切欠部２、３に係合される単一のセットピン１の構成によって、しかも単一ソケット６のピン穴７に対する各抵抗棒４、５の高さ位置を同位置に、又は各別の高さ位置に変更調節することができ、操作を簡単、容易化することができる。
【００４４】
図２のソケット６は、抵抗棒４を単一挿通させて、セットピン１により適宜高さ位置に取付けるものであり、図４のソケット６は、前後二本の抵抗棒４、５を挿通させて取付ける形態である。
【００４５】
そこで、図２のソケット６においては、方形状断面形態のソケット６の後側寄り位置にピン穴７を形成して、このピン穴７に横側からセットピン１を挿通させることができる。残耕抵抗棒４は、前記ソケット６のソケット穴１５に挿通させて、上下動することができるが、この残耕抵抗棒４の後側縁部８には、上下適宜間隔毎に側面視で半月形態の切欠部２を形成し、各切欠部２は、この抵抗棒４の昇降移動によって、前記ピン穴７の内側面に重合させることができ、この重合位置において、外側部からピン穴７に沿ってセットピン１を挿込んで、これらピン穴７と切欠部２とに亘って挿通して、残耕抵抗棒４の取付位置を固定することができる。このセットピン１をピン軸芯の周りに回動して、切欠部１０を抵抗棒４の後側縁部８に嵌合させた状態Ａでは、この抵抗棒４を昇降移動させることができる。そして、このセットピン１を回動して、この切欠背部１１を前記切欠部２に係合させるＣことによって、抵抗棒４の昇降移動を係止して固定することができる。ハンドル１２は、このセットピン１の切欠部１０に対して上下方向、又は切欠背部１１の側に向けてエルボ形態に屈曲形成されて、先端部には重り１６を形成し、ピン穴７に対して回動自在に嵌合されたセットピン１の、前記切欠部２と切欠背部１１との係合、固定状態に安定維持するように構成している。このセットピン１の抜止め用の抜止リング１７を設けている。
【００４６】
前記耕耘機の走行移動時には、図３のように抵抗棒４、又は５の下端部の尾輪３９を取付けて、この尾輪３９をローラ２４の回転域下端面よりも下方に位置させて、走行地面に接地支持させて走行移動できるようにしている。前記ソケット６に挿通した抵抗棒４、又は５の下端部に、尾輪３９のアーム４０ソケット４１を嵌合させて、ピン４２止めによって取付ける。このアーム４０ソケット４１は、角筒形態として前記抵抗棒４、又は５の上端部から嵌合させることもできるが、二又状形態に形成されたソケット４１を、抵抗棒４、５の後側縁部側から挟み込むようにして嵌合させて、これらソケット４１と抵抗棒４、５間に亘って連通されるピン穴７に、前記ピン４２を挿通して取付固定する。
【００４７】
又、畝立作業時は、畝立培土用のリヤカバー３６を、カバー軸３７周りに下方へ垂下状態に回動させて、このリヤカバー３６の後側面に尾輪３９を押圧させて、このリヤカバー３６の後方上方への回動を係止する。前記尾輪３９は、ソケット４１を抵抗棒４の下端部から、前記ヒッチソケット６の後側に突出するリヤブラケット４３に差し替えて、ピン４４止めによって取付けることができる。又、このときリヤカバー３６を後側から押える必要のない場合は、尾輪３９を上方に位置させた状態Ｅで、支持することができる。前記リヤカバー３６は、耕耘土壌面の幅中央部に、培土畝、又は培土溝を形成するように構成しているが、このリヤカバー３６に代えて、特定形態の畝立器を着替えるこもできる。
【００４８】
次に、主として図５において、前記ハンドルフレーム３２の後端部上に、上下方向の軸芯Ｙ有して、この外周面に軸芯Ｙ方向に沿う凹凸条（波形状断面形態ののセレーション）を形成する菊座筒（円筒状の菊座面を形成した形態）４５を設け、この菊座筒４５周りに、ハンドル３３基部の菊座４６との間に、菊座メタル４７を介在させて、左右両側部からボルト軸４８で挟持するようにして取付け、このハンドル３３の向きを軸芯Ｙ周りに左右横方向へ適宜角度回動することができる形態としたものである。機体の直後側からの操作に限らず、横後側部からの操作を行い易くする。
【００４９】
前記菊座筒４５は、外周面に軸芯Ｙと並行方向の菊座セレーション５０を形成するが、この中央部には、前記ボルト軸４８がこの軸芯Ｙ周りに所定角度水平方向へ揺動できる扇形状の軸穴４９を形成している。又、前記菊座メタル４７の内側端面は、前記菊座筒４５の外周面と接合しうる円弧状の内側面５１を形成し、この内側面５１は、前記菊座筒４５のセレーション５０と噛合できるセレーション５２を形成して、これら菊座メタル４７の菊座筒４５への挟持圧を緩めることによって、菊座メタル４７を軸穴４９域において軸芯Ｙ周りに回動することができ、ボルト軸４８に対するノブナット５３の締付けにより、この挟持圧を強くすることによって、菊座メタル４７の位置を固定することができる。この菊座メタル４７の外側面５４には、菊座セレーションが形成されている。又、菊座メタル４７の外側に位置して対向するハンドル３３基部には、前記外側面５４の菊座セレーションと噛合する菊座４６が形成されていて、前記ボルト軸４８の締付力によって、ハンドル３３基部の菊座４６を、菊座メタル４７に対して回動でき、又は、回動不能に固定させることができる。
【００５０】
次に、主として、図６において、前記デットマンクラッチレバー３８を、レバー軸６０の周りに回動してＬ、ハンドル３３の把持部側へ引き下げて、耕耘作業を開始すると、このレバー３８のプレート６１と一体に回動するアーム６２によって、チョークノブ６３が押されてＭ、ワイヤー６４を経てチューク６５が押戻されてＮ、チョーク閉の状態に作動できる連動構成としている。
【符号の説明】
【００５１】
１    セットピン
２    切欠部
３    切欠部
４    抵抗棒、残耕抵抗棒
５    芯土抵抗棒
６    ソケット
７    ピン穴
８    側縁部、後側縁部
９    前側縁部
１０    切欠部
１１    切欠背部
１２    ハンドル
１３    鋤起板
１４    そり板
１５    ソケット穴
【図１】
2014230500.tif 000003
【図２】
2014230500.tif 000004
【図３】
2014230500.tif 000005
【図４】
2014230500.tif 000006
【図５】
2014230500.tif 000007
【図６】
2014230500.tif 000008